(57)【要約】【課題】歩行中に腰の位置が前寄りになっているか否かを手軽に定量的に評価すること。【解決手段】被測定者の腰の正中線上に装着される加速度センサ１１２を備える。加速度センサ１１２が出力する上下軸加速度の時間的な変化波形と前後軸加速度の時間的な変化波形との一方または両方を用いて、被測定者の歩行中の腰の位置に対応する物理量を定量的に算出する。【選択図】図１
2014217696.tif 000002
【特許請求の範囲】
【請求項１】
被測定者の歩行姿勢を評価する歩行姿勢計であって、
被測定者の腰の正中線上に装着される加速度センサと、
上記加速度センサが出力する上下軸加速度の時間的な変化波形と前後軸加速度の時間的な変化波形との一方または両方を用いて、上記被測定者の歩行中の腰の位置に対応する物理量を定量的に算出する演算部とを備えた歩行姿勢計。
【請求項２】
請求項１に記載の歩行姿勢計において、
上記演算部は、上記上下軸加速度と上記前後軸加速度とを合成する信号処理系を含み、
上記物理量は、上記上下軸加速度と上記前後軸加速度とを合成してなる合成ベクトルに関する量を含むことを特徴とする歩行姿勢計。
【請求項３】
請求項２に記載の歩行姿勢計において、
上記合成ベクトルに関する量は、上記合成ベクトルの大きさであることを特徴とする歩行姿勢計。
【請求項４】
請求項１から３までのいずれか一つに記載の歩行姿勢計において、
上記物理量は、上記上下軸加速度の時間的な変化波形について、左踵が接地してから右踵が接地するまでの左脚基準期間と右踵が接地してから左踵が接地するまでの右脚基準期間とにそれぞれ現れる、プラス側波形の面積および／またはマイナス側波形の面積を表す量を含むことを特徴とする歩行姿勢計。
【請求項５】
請求項１から４までのいずれか一つに記載の歩行姿勢計において、
上記物理量は、上記上下軸加速度の時間的な変化波形について、左踵が接地してから右踵が接地するまでの左脚基準期間と右踵が接地してから左踵が接地するまでの右脚基準期間とにそれぞれ現れる、マイナス側波形の最小の谷の値を表す量を含むことを特徴とする歩行姿勢計。
【請求項６】
請求項１から５までのいずれか一つに記載の歩行姿勢計において、
上記物理量は、上記前後軸加速度の時間的な変化波形について、左踵が接地してから右踵が接地するまでの左脚基準期間と右踵が接地してから左踵が接地するまでの右脚基準期間とにそれぞれ現れる、プラス側波形の最大のピークの値および／またはマイナス側波形の最小の谷の値を表す量を含むことを特徴とする歩行姿勢計。
【請求項７】
請求項１から６までのいずれか一つに記載の歩行姿勢計において、
上記物理量に対する閾値を設定して、上記腰の位置を上記閾値に応じて複数段階に評価する評価部を備えたことを特徴とする歩行姿勢計。
【請求項８】
被測定者の歩行姿勢を評価する方法をコンピュータに実行させるためのプログラムであって、
上記方法は、
被測定者の腰の正中線上に装着された加速度センサの出力を取得するステップと、
上記加速度センサが出力する前後軸加速度の時間的な変化波形と上下軸加速度の時間的な変化波形との一方または両方を用いて、上記被測定者の歩行中の腰の位置に対応する物理量を定量的に算出するステップと
を備えたことを特徴とするプログラム。
【請求項９】
被測定者の歩行姿勢を評価する歩行姿勢計であって、
被測定者に対して或る方向に装着される３軸加速度センサと、
上記３軸加速度センサが出力する、上記３軸加速度センサに関する互いに垂直な３方向の成分に基づいて、上下軸加速度と前後軸加速度との一方または両方を合成して抽出する信号処理系と、
上記信号処理系が出力する上記上下軸加速度の時間的な変化波形と上記前後軸加速度の時間的な変化波形との上記一方または両方を用いて、上記被測定者の歩行中の腰の位置に対応する物理量を定量的に算出する演算部とを備えた歩行姿勢計。
【発明の詳細な説明】
【技術分野】
【０００１】
この発明は歩行姿勢計に関し、より詳しくは、ヒトの歩行姿勢が正しい姿勢であるか否かを定量的に評価する歩行姿勢計に関する。
【０００２】
また、この発明は、ヒトの歩行姿勢が正しい姿勢であるか否かを定量的に評価する方法をコンピュータに実行させるためのプログラムに関する。
【背景技術】
【０００３】
例えば特許文献１（特開２０１１−０７８７２８号公報）に示される装置は、ヒトが所定の姿勢をとったときにヒトの腰部に装着された加速度センサから出力にもとづき重力加速度の方向を検知することにより、当該姿勢をとったときの腰部の地面に対する傾き角を求め、これより骨盤の傾きを推定する。
【０００４】
特許文献２（特開２０１１−２５１０１３号公報）に示される機器は、ヒトの腰部に装着された加速度センサの出力から移動量を算出し、当該移動量にもとづいて歩行の軌跡を取得する。
【先行技術文献】
【特許文献】
【０００５】
【特許文献１】特開２０１１−０７８７２８号公報
【特許文献２】特開２０１１−２５１０１３号公報
【発明の概要】
【発明が解決しようとする課題】
【０００６】
ところで、ヒトが正しい姿勢で歩行するためには、骨盤を前に出した足に乗せること、言い換えれば、全身における腰の位置を相対的に前寄りにすることが重要な要素の一つである。
【０００７】
しかしながら、従来は、歩行中に腰の位置が前寄りになっているか否かを手軽に定量的に評価する手段がなかった。このため、歩行姿勢が正しい姿勢であるか否かを評価する場合に、感覚的な評価に頼ることになり、例えば歩行姿勢を矯正するトレーニングを行うときなどに不便であった。
【０００８】
そこで、この発明の課題は、歩行中に腰の位置が前寄りになっているか否かを手軽に定量的に評価できる歩行姿勢計を提供することにある。
【０００９】
また、この発明の課題は、歩行中に腰の位置が前寄りになっているか否かを手軽に定量的に評価する方法をコンピュータに実行させるためのプログラムを提供することにある。
【課題を解決するための手段】
【００１０】
上記課題を解決するため、この発明の歩行姿勢計は、
被測定者の歩行姿勢を評価する歩行姿勢計であって、
被測定者の腰の正中線上に装着される加速度センサと、
上記加速度センサが出力する上下軸加速度の時間的な変化波形と前後軸加速度の時間的な変化波形との一方または両方を用いて、上記被測定者の歩行中の腰の位置に対応する物理量を定量的に算出する演算部とを備える。
【００１１】
本明細書で、「腰の位置」とは、歩行中の全身における相対的な腰の位置を意味する。典型的には、前脚の踵が接地した時点における、歩幅（すなわち、後脚の爪先から前脚の踵までの距離）と、腰の背面から前脚の踵までの距離とを用いて、
（腰の位置）＝（腰の背面から前脚の踵までの距離）／（歩幅）
と定義される。
【００１２】
この発明の歩行姿勢計では、加速度センサが被測定者の腰の正中線上に装着される。演算部は、上記加速度センサが出力する上下軸加速度の時間的な変化波形と前後軸加速度の時間的な変化波形との一方または両方を用いて、上記被測定者の歩行中の腰の位置に対応する物理量を定量的に算出する。したがって、上記物理量に応じて、被測定者の歩行中の腰の位置を定量的に評価できる。また、この歩行姿勢計では、上記加速度センサの出力に基づいて評価を行っているので、モーションキャプチャのような大がかりな設備によらず、手軽に評価できる。
【００１３】
一実施形態の歩行姿勢計では、
上記演算部は、上記上下軸加速度と上記前後軸加速度とを合成する信号処理系を含み、
上記物理量は、上記上下軸加速度と上記前後軸加速度とを合成してなる合成ベクトルに関する量を含むことを特徴とする。
【００１４】
腰の位置が前寄りである場合、基準となる後脚を蹴り出す時、上方向へも前方向へも加速度が同時に発生する、ということが経験的に分かる。逆に、腰の位置が前寄りでない場合、基準となる後脚を蹴り出す時、体を持ち上げるために一旦上方向へ加速度が発生してから、前方向に加速度が発生する、ということが経験的に分かる。このように、腰の位置が前寄りであるか否かは、上下軸加速度と前後軸加速度との両方に関係する。ここで、この一実施形態の歩行姿勢計では、上記演算部は、上記上下軸加速度と上記前後軸加速度とを合成する信号処理系を含み、上記物理量は、上記上下軸加速度と上記前後軸加速度とを合成してなる合成ベクトルに関する量を含む。したがって、腰の位置が前寄りであるか否かを、上記合成ベクトルに関する量に応じて適切に評価できる。
【００１５】
一実施形態の歩行姿勢計では、上記合成ベクトルに関する量は、上記合成ベクトルの大きさであることを特徴とする。
【００１６】
腰の位置が前寄りである場合、基準となる後脚を蹴り出す時、上方向へも前方向へも加速度が同時に発生することから、左踵が接地してから右踵が接地するまでの左脚基準期間と右踵が接地してから左踵が接地するまでの右脚基準期間とのそれぞれにおいて、上記合成ベクトルが大きいピークを示す。逆に、腰の位置が前寄りでない場合、基準となる後脚を蹴り出す時、体を持ち上げるために一旦上方向へ加速度が発生してから、前方向に加速度が発生することから、左踵が接地してから右踵が接地するまでの左脚基準期間と右踵が接地してから左踵が接地するまでの右脚基準期間とのそれぞれにおいて、上記合成ベクトルのピークが小さくなる。ここで、この一実施形態の歩行姿勢計では、上記合成ベクトルに関する量は、上記合成ベクトルの大きさである。したがって、腰の位置が前寄りであるか否かを、上記合成ベクトルの大きさに応じて適切に評価できる。
【００１７】
一実施形態の歩行姿勢計では、上記物理量は、上記上下軸加速度の時間的な変化波形について、左踵が接地してから右踵が接地するまでの左脚基準期間と右踵が接地してから左踵が接地するまでの右脚基準期間とにそれぞれ現れる、プラス側波形の面積および／またはマイナス側波形の面積を表す量を含むことを特徴とする。
【００１８】
本明細書で、「プラス側波形の面積」とは、時間対加速度グラフ上で加速度がプラス値を示しているときの波形を時間で積分してなる面積を指す。また、「マイナス側波形の面積」とは、時間対加速度グラフ上で加速度がマイナス値を示しているときの波形を時間で積分してなる面積を指す。
【００１９】
腰の位置が前寄りである場合、歩幅が広くかつ歩行速度が速くなることから、上記上下軸加速度の時間的な変化波形について、左脚基準期間と右脚基準期間とのそれぞれにおいて、プラス側波形の面積および／またはマイナス側波形の面積が広くなる、ということが経験的に分かる。逆に、腰の位置が前寄りでない場合、歩幅が狭くかつ歩行速度が遅くなることから、上記上下軸加速度の時間的な変化波形について、左脚基準期間と右脚基準期間とのそれぞれにおいて、プラス側波形の面積および／またはマイナス側波形の面積が狭くなる、ということが経験的に分かる。このように、腰の位置が前寄りであるか否かは、上記上下軸加速度の時間的な変化波形についての、プラス側波形の面積および／またはマイナス側波形の面積に関係する。ここで、この一実施形態の歩行姿勢計では、上記物理量は、上記上下軸加速度の時間的な変化波形について、左脚基準期間と右脚基準期間とにそれぞれ現れる、プラス側波形の面積および／またはマイナス側波形の面積を表す量を含む。したがって、腰の位置が前寄りであるか否かを、上記上下軸加速度の時間的な変化波形についての、上記プラス側波形の面積および／またはマイナス側波形の面積を表す量に応じて適切に評価できる。
【００２０】
一実施形態の歩行姿勢計では、上記物理量は、上記上下軸加速度の時間的な変化波形について、左踵が接地してから右踵が接地するまでの左脚基準期間と右踵が接地してから左踵が接地するまでの右脚基準期間とにそれぞれ現れる、マイナス側波形の最小の谷の値を表す量を含むことを特徴とする。
【００２１】
腰の位置が前寄りである場合、歩幅が広くかつ歩行速度が速くなることから、上記上下軸加速度の時間的な変化波形について、左脚基準期間と右脚基準期間とのそれぞれにおいて、マイナス側波形の最小の谷が深くなる、ということが経験的に分かる。逆に、腰の位置が前寄りでない場合、歩幅が狭くかつ歩行速度が遅くなることから、上記上下軸加速度の時間的な変化波形について、左脚基準期間と右脚基準期間とのそれぞれにおいて、マイナス側波形の最小の谷が浅くなる、ということが経験的に分かる。このように、腰の位置が前寄りであるか否かは、上記上下軸加速度の時間的な変化波形についての、マイナス側波形の最小の谷の深さに関係する。ここで、この一実施形態の歩行姿勢計では、上記物理量は、上記上下軸加速度の時間的な変化波形について、左脚基準期間と右脚基準期間とにそれぞれ現れる、マイナス側波形の最小の谷の値を表す量を含む。したがって、腰の位置が前寄りであるか否かを、上記上下軸加速度の時間的な変化波形についての、上記マイナス側波形の最小の谷の値を表す量に応じて適切に評価できる。
【００２２】
なお、上記上下軸加速度の時間的な変化波形についての、プラス側波形の最大のピークの大きさは、腰の位置に対応するよりも、むしろ個人差が大きいため、定量的な評価のために用いるのが難しい。
【００２３】
一実施形態の歩行姿勢計では、上記物理量は、上記前後軸加速度の時間的な変化波形について、左踵が接地してから右踵が接地するまでの左脚基準期間と右踵が接地してから左踵が接地するまでの右脚基準期間とにそれぞれ現れる、プラス側波形の最大のピークの値および／またはマイナス側波形の最小の谷の値を表す量を含むことを特徴とする。
【００２４】
腰の位置が前寄りである場合、歩幅が広くかつ歩行速度が速くなることから、上記前後軸加速度の時間的な変化波形について、左脚基準期間と右脚基準期間とのそれぞれにおいて、プラス側波形の最大のピークが大きくなる一方、マイナス側波形の最小の谷が深くなる、ということが経験的に分かる。逆に、腰の位置が前寄りでない場合、歩幅が狭くかつ歩行速度が遅くなることから、上記前後軸加速度の時間的な変化波形について、左脚基準期間と右脚基準期間とのそれぞれにおいて、プラス側波形の最大のピークが小さくなる一方、マイナス側波形の最小の谷が浅くなる、ということが経験的に分かる。このように、腰の位置が前寄りであるか否かは、上記前後軸加速度の時間的な変化波形についての、プラス側波形の最大のピークの大きさ、マイナス側波形の最小の谷の深さに関係する。ここで、この一実施形態の歩行姿勢計では、上記物理量は、上記前後軸加速度の時間的な変化波形について、左踵が接地してから右踵が接地するまでの左脚基準期間と右踵が接地してから左踵が接地するまでの右脚基準期間とにそれぞれ現れる、プラス側波形の最大のピークの値および／またはマイナス側波形の最小の谷の値を表す量を含む。したがって、したがって、腰の位置が前寄りであるか否かを、上記前後軸加速度の時間的な変化波形についての、プラス側波形の最大のピークの値および／またはマイナス側波形の最小の谷の値を表す量に応じて適切に評価できる。
【００２５】
一実施形態の歩行姿勢計では、上記物理量に対する閾値を設定して、上記腰の位置を上記閾値に応じて複数段階に評価する評価部を備えたことを特徴とする。
【００２６】
この一実施形態の歩行姿勢計では、評価部が、上記物理量に対する閾値を設定して、上記腰の位置を上記閾値に応じて複数段階に評価する。したがって、複数段階の評価結果が得られる。このような複数段階の評価結果は、ユーザ（被測定者を含む。）にとって分かり易く、便宜である。
【００２７】
この発明のプログラムは、
被測定者の歩行姿勢を評価する方法をコンピュータに実行させるためのプログラムであって、
上記方法は、
被測定者の腰の正中線上に装着された加速度センサの出力を取得するステップと、
上記加速度センサが出力する前後軸加速度の時間的な変化波形と上下軸加速度の時間的な変化波形との一方または両方を用いて、上記被測定者の歩行中の腰の位置に対応する物理量を定量的に算出するステップと
を備えたことを特徴とする。
【００２８】
この発明のプログラムをコンピュータに実行させれば、コンピュータは、まず被測定者の腰の正中線上に装着された加速度センサの出力を取得する。そして、上記加速度センサが出力する前後軸加速度の時間的な変化波形と上下軸加速度の時間的な変化波形との一方または両方を用いて、上記被測定者の歩行中の腰の位置に対応する物理量を定量的に算出する。したがって、上記物理量に応じて、被測定者の歩行中の腰の位置を定量的に評価できる。また、このプログラムでは、上記加速度センサの出力に基づいて評価を行っているので、モーションキャプチャのような大がかりな設備によらず、手軽に評価できる。
【００２９】
別の局面では、この発明の歩行姿勢計は、
被測定者の歩行姿勢を評価する歩行姿勢計であって、
被測定者に対して或る方向に装着される３軸加速度センサと、
上記３軸加速度センサが出力する、上記３軸加速度センサに関する互いに垂直な３方向の成分に基づいて、上下軸加速度と前後軸加速度との一方または両方を合成して抽出する信号処理系と、
上記信号処理系が出力する上記上下軸加速度の時間的な変化波形と上記前後軸加速度の時間的な変化波形との上記一方または両方を用いて、上記被測定者の歩行中の腰の位置に対応する物理量を定量的に算出する演算部とを備える。
【００３０】
この発明の歩行姿勢計では、加速度センサが被測定者に対して或る方向、つまり、腰の正中線上に限られず任意の方向に装着される。信号処理系は、上記３軸加速度センサが出力する、上記３軸加速度センサに関する互いに垂直な３方向の成分に基づいて、上下軸加速度と前後軸加速度との一方または両方を合成して抽出する。演算部は、上記信号処理系が出力する上記上下軸加速度の時間的な変化波形と上記前後軸加速度の時間的な変化波形との上記一方または両方を用いて、上記被測定者の歩行中の腰の位置に対応する物理量を定量的に算出する。したがって、上記物理量に応じて、被測定者の歩行中の腰の位置を定量的に評価できる。また、この歩行姿勢計では、上記加速度センサの出力に基づいて評価を行っているので、モーションキャプチャのような大がかりな設備によらず、手軽に評価できる。さらに、上記加速度センサ（および／または上記加速度センサを搭載したケーシング）は、被測定者に対して装着される向きの制約を受けず、着衣のポケットなどに任意の方向に装着され得る。したがって、ユーザの使い勝手が良くなる。
【発明の効果】
【００３１】
以上より明らかなように、この発明の歩行姿勢計によれば、歩行中に腰の位置が前寄りになっているか否かを手軽に定量的に評価できる。
【００３２】
また、この発明のプログラムをコンピュータに実行させれば、歩行中に腰の位置が前寄りになっているか否かを手軽に定量的に評価できる。
【図面の簡単な説明】
【００３３】
【図１】この発明の一実施形態の歩行姿勢計のシステム構成を示す図である。
【図２】上記歩行姿勢計のシステムをなす活動量計のブロック構成を示す図である。
【図３】上記歩行姿勢計のシステムをなすスマートフォンのブロック構成を示す図である。
【図４】図４（Ａ）は、上記活動量計が被測定者に装着される態様を示す図である。図４（Ｂ）は、Ｘ軸（前後軸）、Ｙ軸（左右軸）、Ｚ軸（上下軸）を説明する図である。
【図５】図５（Ａ）、図５（Ｂ）は、全身における腰の位置についての定義を示す図である。
【図６】或る被測定者について、加速度センサが出力する上下軸加速度、前後軸加速度の時間的な変化波形を示す図である。
【図７】図６における上下軸加速度と前後軸加速度とを合成した合成加速度の時間的な変化波形を示す図である。
【図８】図６におけるのとは別の被測定者について、加速度センサが出力する上下軸加速度、前後軸加速度の時間的な変化波形を示す図である。
【図９】図８における上下軸加速度と前後軸加速度とを合成した合成加速度の時間的な変化波形を示す図である。
【図１０】或る被測定者について、加速度センサが出力する上下軸加速度から、腰の位置に対応する物理量としてプラス側波形の面積、マイナス側波形の面積、およびマイナス側波形の最小の谷の値を表す量を取り出す例を説明する図である。
【図１１】図１０におけるのとは別の被測定者について、加速度センサが出力する上下軸加速度から、腰の位置に対応する物理量としてプラス側波形の面積、マイナス側波形の面積、およびマイナス側波形の最小の谷の値を表す量を取り出す例を説明する図である。
【図１２】或る被測定者について、加速度センサが出力する前後軸加速度から、腰の位置に対応する物理量として、プラス側波形の最大のピークの値およびマイナス側波形の最小の谷の値を表す量を取り出す例を説明する図である。
【図１３】図１２におけるのとは別の被測定者について、加速度センサが出力する前後軸加速度から、腰の位置に対応する物理量として、プラス側波形の最大のピークの値およびマイナス側波形の最小の谷の値を表す量を取り出す例を説明する図である。
【図１４】腰の位置を閾値に応じて複数段階に評価する仕方を説明する図である。
【図１５】上記活動量計の制御部による動作フローを示す図である。
【発明を実施するための形態】
【００３４】
以下、この発明の実施の形態を、図面を参照しながら詳細に説明する。
【００３５】
図１は、この発明の一実施形態の歩行姿勢計（全体を符号１で示す。）のシステム構成を示している。この歩行姿勢計１は、活動量計１００と、スマートフォン２００とを含んでいる。活動量計１００とスマートフォン２００とは、この例ではＢＬＥ（Bluetooth low energy；低消費電力Bluetooth）通信によって互いに通信可能になっている。
【００３６】
図２に示すように、活動量計１００は、ケーシング１００Ｍと、このケーシング１００Ｍに搭載された、制御部１１０と、発振部１１１と、加速度センサ１１２と、メモリ１２０と、操作部１３０と、表示部１４０と、ＢＬＥ通信部１８０と、電源部１９０と、リセット部１９９とを含む。
【００３７】
ケーシング１００Ｍは、この活動量計１００を携帯し易いように、ヒトの手のひらに収まる程度の大きさに形成されている。
【００３８】
発振部１１１は、水晶振動子を含み、この活動量計１００の動作タイミングの基準となるクロック信号を発生する。
【００３９】
加速度センサ１１２は、ケーシング１００Ｍが受ける３軸（３方向）の加速度をそれぞれ検出して、制御部１１０へ出力する。
【００４０】
メモリ１２０は、ＲＯＭ（Read Only Memory）とＲＡＭ（Random Access Memory）とを含む。ＲＯＭは、この活動量計１００を制御するためのプログラムのデータを記憶する。また、ＲＡＭは、この活動量計１００の各種機能を設定するための設定データ、加速度測定結果および演算結果のデータなどを記憶する。
【００４１】
制御部１１０は、上記クロック信号に基づいて動作するＣＰＵ（Central Processing Unit；中央演算処理装置）を含み、メモリ１２０に記憶された活動量計１００を制御するためのプログラムに従って、加速度センサ１１２からの検知信号に基づいて、この活動量計１００の各部（メモリ１２０、表示部１４０およびＢＬＥ通信部１９０を含む。）を制御する。この制御部１１０は、少なくとも、上下軸加速度と前後軸加速度とを合成する信号処理系を含む。
【００４２】
操作部１３０は、この例ではボタンスイッチからなり、電源オン・オフ切り替えの操作、表示内容切り替えの操作など、適宜の操作入力を受け付ける。
【００４３】
表示部１４０は、この例ではＬＣＤ（液晶表示素子）または有機ＥＬ（エレクトロルミネッセンス）ディスプレイからなる表示画面を含み、この表示画面に制御部１１０から受けた信号に従って所定の情報を表示する。
【００４４】
電源部１８０は、この例ではボタン電池からなり、この活動量計１００の各部へ電力を供給する。
【００４５】
ＢＬＥ通信部１９０は、スマートフォン２００との間でリアルタイムで通信を行う。例えば、スマートフォン２００へ測定結果を表す情報などを送信する。また、スマートフォン２００から操作指示を受信する。
【００４６】
リセット部１９９は、スイッチからなり、制御部１１０の動作やメモリ１２０の記憶内容をリセットして初期化する。
【００４７】
図３に示すように、スマートフォン２００は、本体２００Ｍと、この本体２００Ｍに搭載された、制御部２１０と、メモリ２２０と、操作部２３０と、表示部２４０と、ＢＬＥ通信部２８０と、ネットワーク通信部２９０とを含む。このスマートフォン２００は、市販のスマートフォンに、活動量計１００への指示を行わせるようにアプリケーションソフトウェア（コンピュータプログラム）をインストールしたものである。
【００４８】
制御部２１０は、ＣＰＵおよびその補助回路を含み、スマートフォン２００の各部を制御し、メモリ２２０に記憶されたプログラムおよびデータに従って処理を実行する。すなわち、操作部２３０、および、通信部２８０，２９０から入力されたデータを処理し、処理したデータを、メモリ２２０に記憶させたり、表示部２４０で表示させたり、通信部２８０，２９０から出力させたりする。
【００４９】
メモリ２２０は、制御部２１０でプログラムを実行するために必要な作業領域として用いられるＲＡＭと、制御部２１０で実行するための基本的なプログラムを記憶するためのＲＯＭとを含む。また、メモリ２２０の記憶領域を補助するための補助記憶装置の記憶媒体として、半導体メモリ（メモリカード、ＳＳＤ（Solid State Drive））などが用いられてもよい。
【００５０】
操作部２３０は、この例では、表示部２４０上に設けられたタッチパネルからなっている。なお、キーボードその他のハードウェア操作デバイスを含んでいても良い。
【００５１】
表示部２４０は、表示画面（例えばＬＣＤまたは有機ＥＬディスプレイからなる）を含む。表示部２４０は、制御部２１０によって制御されて、所定の画像を表示画面に表示させる。
【００５２】
ＢＬＥ通信部２８０は、活動量計１００との間でリアルタイムで通信を行う。例えば、活動量計１００へ操作指示を送信する。また、活動量計１００から測定結果を表す情報などを受信する。
【００５３】
ネットワーク通信部２９０は、制御部２１０からの情報をネットワーク９００を介して他の装置へ送信するとともに、他の装置からネットワーク９００を介して送信されてきた情報を受信して制御部２１０に受け渡すことができる。
【００５４】
例えば図４（Ａ）に示すように、この歩行姿勢計１が例えばユーザとしての被測定者９０によって使用される場合、活動量計１００が装着クリップ１００Ｃ（図１中に示す）によって被測定者９０の正中線９１上の腰の背面側に装着される。
【００５５】
この例では、図４（Ｂ）に示すように、被測定者９０にとって前後方向をＸ軸、左右方向をＹ軸、上下方向をＺ軸とする。そして、活動量計１００の加速度センサ１１２は、被測定者９０が前方へ歩行するのに伴ってケーシング１００Ｍが受けるＸ軸（前後軸）の加速度、Ｙ軸（左右軸）の加速度、Ｚ軸（上下軸）の加速度をそれぞれ出力するものとする。
【００５６】
この歩行姿勢計１によって測定を行う場合、被測定者９０は、活動量計１００とスマートフォン２００の電源をオンする。それとともに、スマートフォン２００のアプリケーションソフトウェアを起動して、操作部２３０、ＢＬＥ通信部２８０を介して、活動量計１００へ測定スタートを指示する。
【００５７】
その状態で、被測定者９０は前方へ真っ直ぐ、この例では１０歩だけ歩行する。そして、被測定者９０は、スマートフォン２００の操作部２３０、ＢＬＥ通信部２８０を介して、活動量計１００へ演算および演算結果の出力を指示する。
【００５８】
すると、活動量計１００の制御部１１０は演算部として働いて、後述する演算を行う。そして、その演算結果を表す情報をＢＬＥ通信部１８０を介して、スマートフォン２００へ送信する。
【００５９】
図１５は、活動量計１００の制御部１１０による動作フローを示している。活動量計１００の制御部１１０は、電源がオンされると、ステップＳ１に示すように、スマートフォン２００からの測定スタートの指示を待つ。スマートフォン２００からの測定スタートの指示を受信すると（ステップＳ１でＹＥＳ）、ステップＳ２に示すように、制御部１１０は、加速度センサ１１２による３軸の出力を取得する。加速度センサ１１２の出力の取得は、この例では１０歩のデータを含む期間として、予め定められた期間（例えば１４秒間）だけ行われる。取得されたデータは、メモリ１２０に一旦記憶される。次に、制御部１１０は、ステップＳ３に示すように、スマートフォン２００からの測定スタートの指示を待つ。スマートフォン２００からの演算の指示を受信すると（ステップＳ３でＹＥＳ）、ステップＳ４に示すように、制御部１１０は、腰の位置に対応する物理量の演算を行う。そして、ステップＳ５に示すように、制御部１１０は評価部として働いて、その演算結果を用いて、腰の位置を段階的に評価する。その後、ステップＳ６に示すように、その評価の結果をスマートフォン２００へ出力（送信）する。
【００６０】
図５（Ａ）は、或る被測定者９０についての全身における腰の位置を示している。ここで、腰の位置は、前脚の踵が地面９９に接地した時点における、歩幅（すなわち、後脚の爪先から前脚の踵までの距離）Ｄと、腰の背面から前脚の踵までの距離ｄとを用いて、
（腰の位置）＝（腰の背面から前脚の踵までの距離）／（歩幅）＝ｄ／Ｄ      …（１）
によって表される。この被測定者９０は、腰の位置が前寄りになっており、したがって、式（１）によって求められる値（＝ｄ／Ｄ）が比較的小さい。
【００６１】
一方、図５（Ｂ）は、別の被測定者９０′についての全身における腰の位置を示している。この被測定者９０′は、腰の位置が後寄りになっており、したがって、式（１）によって求められる値（＝ｄ′／Ｄ′）が比較的大きい。
【００６２】
上述の制御部１１０は、図１５中のステップＳ４において、式（１）によって求められる値に対応する、次のような６つの物理量ｉ）〜vi）の演算を行う。
【００６３】
ｉ）  Ｚ軸（上下軸）加速度とＸ軸（前後軸）加速度とを合成してなる合成ベクトルの大きさを表す量
【００６４】
図６は、図５（Ａ）に示した被測定者９０についてのＺ軸加速度、Ｘ軸加速度の時間的な変化波形を示している。また、図８は、図５（Ｂ）に示した被測定者９０′についてのＺ軸加速度、Ｘ軸加速度の時間的な変化波形を示している。これらの図６、図８（および後述の図７、図９、図１０〜図１３）において、ｔＬは左踵が接地するタイミングを示し、ｔＲは右踵が接地するタイミングを示している。左踵が接地してから右踵が接地するまでの期間を「左脚基準期間」と呼び、右踵が接地してから左踵が接地するまでの期間を「右脚基準期間」と呼ぶ。
【００６５】
腰の位置が前寄りである場合、基準となる後脚を蹴り出す時、上方向へも前方向へも加速度が同時に発生する、ということが経験的に分かる。つまり、図５（Ａ）中に示すように、上方向へも前方向へも加速度が同時に発生して、合成ベクトルＦとなるということが経験的に分かる。逆に、腰の位置が前寄りでない場合、図５（Ｂ）中に示すように、基準となる後脚を蹴り出す時、体を持ち上げるために一旦上方向へ加速度Ｆ１が発生してから、前方向に加速度Ｆ２が発生する、ということが経験的に分かる。このように、腰の位置が前寄りであるか否かは、上下軸加速度と前後軸加速度との両方に関係する。
【００６６】
図７は、図５（Ａ）に示した被測定者９０についてのＺ軸加速度とＸ軸加速度とを合成した合成加速度（ＺＸ合成加速度）の時間的な変化波形を示している。この図７から分かるように、腰の位置が前寄りである場合、基準となる後脚を蹴り出す時、上方向へも前方向へも加速度が同時に発生することから、左脚基準期間と右脚基準期間とのそれぞれにおいて、合成ベクトルが大きいピークＰ１を示している。また、図９は、図５（Ｂ）に示した被測定者９０についてのＺ軸加速度とＸ軸加速度とを合成した合成加速度（ＺＸ合成加速度）の時間的な変化波形を示している。この図９から分かるように、腰の位置が前寄りでない場合、基準となる後脚を蹴り出す時、体を持ち上げるために一旦上方向へ加速度Ｆ１が発生してから、前方向に加速度Ｆ２が発生することから、左脚基準期間と右脚基準期間とのそれぞれにおいて、合成ベクトルのピークＰ１′が小さくなっている。
【００６７】
そこで、式（１）によって求められる値に対応する物理量として、Ｚ軸加速度とＸ軸加速度とを合成した合成ベクトルの大きさを表す量、より詳しくは、左脚基準期間と右脚基準期間とのそれぞれにおける最大のピークの値を算出する。なお、合成ベクトルの大きさは、Ｚ軸加速度の２乗とＸ軸加速度の２乗との和の平方根によって算出される。
【００６８】
この例では、１０歩分のデータのうち、最初の２歩と最後の２歩のデータを除いた６歩分のデータを平均して平均値を求める。その平均値をその物理量についての演算結果とする。このように平均値を演算結果とする点は、残りの物理量ii）〜vi）についても同様である。
【００６９】
ii）  Ｚ軸（上下軸）加速度の時間的な変化波形におけるプラス側波形の面積を表す量
iii)  Ｚ軸（上下軸）加速度の時間的な変化波形におけるマイナス側波形の面積を表す量
【００７０】
ここで、「プラス側波形の面積」とは、図１０、図１１のような時間対加速度グラフ上で加速度がプラス値を示しているときの波形を時間で積分してなる面積を指す。また、「マイナス側波形の面積」とは、時間対加速度グラフ上で加速度がマイナス値を示しているときの波形を時間で積分してなる面積を指す。
【００７１】
腰の位置が前寄りである場合、歩幅が広くかつ歩行速度が速くなることから、図１０中に示すように、Ｚ軸加速度の時間的な変化波形について、左脚基準期間と右脚基準期間とのそれぞれにおいて、プラス側波形の面積Ａ１および／またはマイナス側波形の面積Ａ２が広くなる、ということが経験的に分かる。逆に、腰の位置が前寄りでない場合、歩幅が狭くかつ歩行速度が遅くなることから、図１１中に示すように、Ｚ軸加速度の時間的な変化波形について、左脚基準期間と右脚基準期間とのそれぞれにおいて、プラス側波形の面積Ａ１′および／またはマイナス側波形の面積Ａ２′が狭くなる、ということが経験的に分かる。このように、腰の位置が前寄りであるか否かは、Ｚ軸加速度の時間的な変化波形についての、プラス側波形の面積および／またはマイナス側波形の面積に関係する。
【００７２】
そこで、式（１）によって求められる値に対応する物理量として、プラス側波形の面積を表す量、マイナス側波形の面積を表す量をそれぞれ算出する。
【００７３】
iv）  Ｚ軸（上下軸）加速度の時間的な変化波形におけるマイナス側波形の最小の谷の値を表す量
【００７４】
腰の位置が前寄りである場合、歩幅が広くかつ歩行速度が速くなることから、図１０中に示すように、Ｚ軸加速度の時間的な変化波形について、左脚基準期間と右脚基準期間とのそれぞれにおいて、マイナス側波形の最小の谷Ｐ２が深くなる、ということが経験的に分かる。逆に、腰の位置が前寄りでない場合、歩幅が狭くかつ歩行速度が遅くなることから、図１１中に示すように、Ｚ軸加速度の時間的な変化波形について、左脚基準期間と右脚基準期間とのそれぞれにおいて、マイナス側波形の最小の谷Ｐ２′が浅くなる、ということが経験的に分かる。このように、腰の位置が前寄りであるか否かは、Ｚ軸加速度の時間的な変化波形についての、マイナス側波形の最小の谷の深さに関係する。
【００７５】
そこで、式（１）によって求められる値に対応する物理量として、マイナス側波形の最小の谷の深さを表す量を算出する。
【００７６】
なお、Ｚ軸加速度の時間的な変化波形についての、プラス側波形の最大のピークの大きさは、腰の位置に対応するよりも、むしろ個人差が大きいため、定量的な評価のために用いるのが難しい。
【００７７】
ｖ）  Ｘ軸（前後軸）加速度の時間的な変化波形におけるプラス側波形の最大のピークの値を表す量
vi）  Ｘ軸（前後軸）加速度の時間的な変化波形におけるマイナス側波形の最小の谷の値の値を表す量
【００７８】
腰の位置が前寄りである場合、歩幅が広くかつ歩行速度が速くなることから、図１２中に示すように、Ｘ軸加速度の時間的な変化波形について、左脚基準期間と右脚基準期間とのそれぞれにおいて、プラス側波形の最大のピークＰ４が大きくなる一方、マイナス側波形の最小の谷Ｐ３が深くなる、ということが経験的に分かる。逆に、腰の位置が前寄りでない場合、歩幅が狭くかつ歩行速度が遅くなることから、図１３中に示すように、Ｘ軸加速度の時間的な変化波形について、左脚基準期間と右脚基準期間とのそれぞれにおいて、プラス側波形の最大のピークＰ４′が小さくなる一方、マイナス側波形の最小の谷Ｐ３′が浅くなる、ということが経験的に分かる。このように、腰の位置が前寄りであるか否かは、Ｘ軸加速度の時間的な変化波形についての、プラス側波形の最大のピークの大きさ、マイナス側波形の最小の谷の深さに関係する。
【００７９】
そこで、式（１）によって求められる値に対応する物理量として、プラス側波形の最大のピークの大きさを表す量、マイナス側波形の最小の谷の深さを表す量をそれぞれ算出する。
【００８０】
このようにして、制御部１１０は、図１５中のステップＳ４において、上述の６つの物理量ｉ）〜vi）の演算を行う。
【００８１】
図１４は、制御部１１０が、図１５中のステップＳ５において、腰の位置を閾値に応じて複数段階に評価する仕方を示している。
【００８２】
詳しくは、図１４の左欄には、上述の６つの物理量ｉ）〜vi）が項目として挙げられている。なお、物理量ｉ）〜vi）の名称は、それぞれ「上下・前後軸合成最大値」、「上下軸プラス面積」、「上下軸マイナス面積」、「上下軸最小値」、「前後軸最大値」、「前後軸最小値」というように簡略化して表記されている。各物理量ｉ）〜vi）の単位は、ｍ／ｓｅｃ２になっている。
【００８３】
図１４の中央欄には、上述の６つの物理量ｉ）〜vi）のそれぞれに対する閾値（単位はｍ／ｓｅｃ２）と、その閾値を基準としたときの得点が挙げられている。
【００８４】
具体的には、物理量ｉ）の「上下・前後軸合成最大値」には、５と１０という閾値が設定されている。算出された上下・前後軸合成最大値が５以下であれば得点は−１点となり、５超かつ１０未満であれば得点は０点となり、１０以上であれば得点は＋１点となる。
【００８５】
物理量ii）の「上下軸プラス面積」には、５０と１００という閾値が設定されている。算出された上下軸プラス面積が５０以下であれば得点は−１点となり、５０超かつ１００未満であれば得点は０点となり、１００以上であれば得点は＋１点となる。
【００８６】
物理量iii）の「上下軸マイナス面積」には、−５０と−１００という閾値が設定されている。算出された上下軸マイナス面積が−５０以上であれば得点は−１点となり、−５０未満かつ−１００超であれば得点は０点となり、−１００以下であれば得点は＋１点となる。
【００８７】
物理量iv）の「上下軸最小値」には、−２．５と−５．０という閾値が設定されている。算出された上下軸最小値が−２．５以上であれば得点は−１点となり、−２．５未満かつ−５．０超であれば得点は０点となり、−５．０以下であれば得点は＋１点となる。
【００８８】
物理量ｖ）の「前後軸最大値」には、４と８という閾値が設定されている。算出された前後軸最大値が４以下であれば得点は−１点となり、４超かつ８未満であれば得点は０点となり、８以上であれば得点は＋１点となる。
【００８９】
物理量vi）の「前後軸最小値」には、−３と−６という閾値が設定されている。算出された前後軸最小値が−３以上であれば得点は−１点となり、−３未満かつ−６超であれば得点は０点となり、−６以下であれば得点は＋１点となる。
【００９０】
制御部１１０は、これらの６つの物理量ｉ）〜vi）についての得点を合計して、合計点数を算出する。この合計点数は、−６点から＋６点までの範囲で、１点ずつ段階的に変化する値をとる。図１４の右欄に示すように、その合計点数が０点以上であれば、その被測定者の腰の位置は「前寄り」であると判定する。一方、その合計点数が−１点以下であれば、その被測定者の腰の位置は「後寄り」であると判定する。このようにして、制御部１１０は、この合計点数によって、腰の位置が前寄りであるか否かを定量的に評価する。
【００９１】
その被測定者の腰の位置が「前寄り」であるか「後寄り」であるかを示す情報は、図１５中のステップＳ６において、合計点数とともに評価の結果として活動量計１００からスマートフォン２００へ出力（送信）される。
【００９２】
スマートフォン２００は、活動量計１００からの情報を受信すると、合計点数とともに評価の結果を表示部２４０に表示する。スマートフォン２００の表示部２４０には、例えば「あなたの腰の位置は前寄りです（点数３点）。」というようにメッセージとして表示される。なお、表示部２４０には、合計点数に代えて、または合計点数とともに、合計点数を表す棒グラフなどの、合計点数が直感的に分かるような表示を行ってもよい。
【００９３】
この表示部２４０の表示内容を見て、ユーザは、腰の位置が前寄りであるか否かを定量的に知ることができる。上述のような、合計点数による定量的な評価結果は、ユーザにとって分かり易く、便宜である。
【００９４】
本発明者は、複数の被測定者について、この歩行姿勢計１による定量的な評価結果が妥当であるか否かを検証する検証実験を行った。
【００９５】
具体的には、被測定者毎に、歩行中に前脚の踵が地面９９に接地した時点における写真を撮影し、その写真画像に基づいて式（１）によって腰の位置（％値）を求めた。それとともに、それらの被測定者毎に、歩行姿勢計１による定量的な評価結果（上述の合計点数）を求めた。そして、写真画像に基づく式（１）による腰の位置（％値）と、歩行姿勢計１による定量的な評価結果（上述の合計点数）との間の相関を調べた。
【００９６】
その結果、被測定者数３１人からなる或る被測定者群（データ数７６）については、相関係数Ｒ＝０．８１、誤差（標準偏差）ＳＤ＝１．７という結果が得られた。また、被測定者数２５人からなる別の被測定者群（データ数６５）については、相関係数Ｒ＝０．６８、誤差（標準偏差）ＳＤ＝１．９という結果が得られた。
【００９７】
これにより、歩行姿勢計１による定量的な評価結果が概ね妥当であることを検証できた。
【００９８】
このように、この歩行姿勢計１によれば、上述の物理量ｉ）〜vi）に応じて、被測定者の歩行中の腰の位置を定量的に適切に評価できる。また、この歩行姿勢計１では、加速度センサ１１２の出力に基づいて評価を行っているので、モーションキャプチャのような大がかりな設備によらず、手軽に評価できる。
【００９９】
上述の実施形態では、加速度センサ１１２が被測定者の腰の正中線上に装着されたが、これに限られるものではない。加速度センサ１１２は被測定者に対して或る方向に装着されるものとし、制御部１１０が、加速度センサ１１２が出力する、加速度センサ１１２に関する互いに垂直な３方向の成分に基づいて、上下軸加速度や前後軸加速度を合成して抽出する信号処理系を構成してもよい。この場合、制御部１１０は演算部として働いて、上記信号処理系が出力する上下軸加速度の時間的な変化波形と前後軸加速度の時間的な変化波形との一方または両方を用いて、被測定者の歩行中の腰の位置に対応する物理量を定量的に算出する。したがって、その物理量に応じて、被測定者の歩行中の腰の位置を定量的に評価できる。このようにした場合、加速度センサ１１２（および／または加速度センサ１１２を搭載したケーシング１００Ｍ）は、被測定者に対して装着される向きの制約を受けず、着衣のポケットなどに任意の方向に装着され得る。したがって、ユーザの使い勝手が良くなる。
【０１００】
上述の実施形態では、６つの物理量ｉ）〜vi）を算出したが、これに限られるものではない。例えば、６つの物理量ｉ）〜vi）全てを算出するのではなく、一部のみ、例えば物理量ｉ）のみを算出し、その物理量ｉ）のみを用いて、被測定者の歩行中の腰の位置を定量的に評価してもよい。
【０１０１】
上述の実施形態では、活動量計１００とスマートフォン２００とは、ＢＬＥ通信によって互いに通信を行ったが、これに限られるものではない。例えば、活動量計１００とスマートフォン２００とは、ＮＦＣ（Near Field Communication；近距離無線通信）によって、スマートフォン２００と活動量計１００とが互いに接近したときに通信を行うようにしてもよい。
【０１０２】
また、上述の実施形態では、本発明の歩行姿勢計を、活動量計１００とスマートフォン２００とを含むシステムとして構成したが、これに限られるものではない。
【０１０３】
例えば、本発明の歩行姿勢計を、スマートフォン２００のみで構成しても良い。その場合、スマートフォン２００が加速度センサを含むものとする。また、スマートフォン２００のメモリ２２０には、制御部２１０に、ヒトの歩行姿勢が正しい姿勢であるか否かを定量的に評価するプログラム、より詳しくは、歩行中に腰の位置が前寄りになっているか否かを定量的に評価するプログラムをインストールする。これにより、本発明の歩行姿勢計を小型かつコンパクトに構成することができる。
【０１０４】
また、そのプログラムは、アプリケーションソフトウェアとして、ＣＤ、ＤＶＤ、フラッシュメモリなどの記録媒体に記録することができる。この記録媒体に記録されたアプリケーションソフトウェアを、スマートフォン、パーソナルコンピュータ、ＰＤＡ（パーソナル・デジタル・アシスタンツ）などの実質的なコンピュータ装置にインストールすることによって、それらのコンピュータ装置に、ヒトの歩行姿勢が正しい姿勢であるか否かを定量的に評価する方法を実行させることができる。
【符号の説明】
【０１０５】
１  歩行姿勢計
１００  活動量計
２００  スマートフォン
【図１】
2014217696.tif 000003
【図２】
2014217696.tif 000004
【図３】
2014217696.tif 000005
【図４】
2014217696.tif 000006
【図５】
2014217696.tif 000007
【図６】
2014217696.tif 000008
【図７】
2014217696.tif 000009
【図８】
2014217696.tif 000010
【図９】
2014217696.tif 000011
【図１０】
2014217696.tif 000012
【図１１】
2014217696.tif 000013
【図１２】
2014217696.tif 000014
【図１３】
2014217696.tif 000015
【図１４】
2014217696.tif 000016
【図１５】
2014217696.tif 000017